(57)【要約】【課題】比較的小型でありながら愛玩動物を容易に収容することができる愛玩動物運搬用のリュックサックを提供する。【解決手段】リュック本体１０と、リュック本体１０の背面に取り付けられた２本の肩ベルト２０とからなり、リュック本体１０の上部に設けられ、曲面である開口部と、開口部の曲面に沿って非直線状に開閉するファスナー１６と、を備える。【選択図】図１
2020062117.tif 000002
【特許請求の範囲】
【請求項１】
収容部と、
前記収容部の背面に取り付けられた２本の肩ベルトと
からなり、
前記収容部の上部に設けられ、曲面である開口部と、
前記開口部の曲面に沿って非直線状に開閉するファスナーと、
を備える愛玩動物運搬用のリュックサック。
【請求項２】
前記ファスナーは、前記収容部の正面又は背面における左右方向の一方の端部から他方の端部に設けられるとともに、両端部が、当該収容部の正面又は背面のいずれか一方側に設けられ、中央部が、当該収容部の正面又は背面のいずれか他方側に設けられる
請求項１に記載の愛玩動物運搬用のリュックサック。
【請求項３】
前記ファスナーの両端部は前記収容部の正面側に、当該ファスナーの中央部は当該収容部の背面側にそれぞれ設けられ、前記開口部の曲面に沿って前記一方の端部から前記中央部を経て前記他方の端部に向かう咬合軌道が円弧状である
請求項２に記載の愛玩動物運搬用のリュックサック。
【請求項４】
前記収容部は、形を整えるパッドを有し、当該パッドにおける左右方向の両端部は、正面側から背面側に屈曲している
請求項１から３のいずれか１項に記載の愛玩動物運搬用のリュックサック。
【請求項５】
前記ファスナーの両端部は、前記収容部の正面側において前記パッドが設けられている部位の近傍に設けられている
請求項４に記載の愛玩動物運搬用のリュックサック。
【請求項６】
前記収容部の内側の底部に着脱できるとともに、当該底部よりも剛性が高い、有底筒状のパレットをさらに備える
請求項１から５のいずれか１項に記載の愛玩動物運搬用のリュックサック。
【請求項７】
頂部には、開閉式の窓が設けられている
請求項１から６のいずれか１項に記載の愛玩動物運搬用のリュックサック。
【発明の詳細な説明】
【技術分野】
【０００１】
本発明は、愛玩動物運搬用のリュックサックに関する。
【背景技術】
【０００２】
近年、猫等の愛玩動物を運搬する際に使用するバッグが提案されている。
例えば、特許文献１に記載された愛玩動物用バッグは、底壁部、両方の側壁部及び上壁部を有する横長筒形状本体の長手方向両端の横開口部に、開閉可能な蓋体を支持して収容空間を構成した愛玩動物用バッグにおいて、前記蓋体は、その底部側を前記横開口部の底部側に回動可能に固定すると共に、その両方の側部側及び上部側をファスナーにより前記横開口部に固定する構成とし、前記横長筒形状本体は、前記両方の側壁部が可撓性を有する構成とすると共に、前記底壁部と前記上壁部及び前記蓋体は保形性を有するものとし、更に両側の前記横開口部の内周に配置して保形するための剛性フレームを、前記横開口部の底部側に回動可能に固定し、更に前記剛性フレームの両方の側部側及び上部側を前記横開口部の内周部に支持するための支持手段を設けたことを特徴とする。
また、猫等の愛玩動物を運搬するものとして、背負う形態であるリュックサックが流通している。リュックサックには、背負う形態が採用されることによって、使用者の両手がふさがらず、かつ肩や背中全体に愛玩動物の体重を分散して運搬することができるという特徴がある。
【先行技術文献】
【特許文献】
【０００３】
【特許文献１】特開２０１４−２３９７２６号公報
【発明の概要】
【発明が解決しようとする課題】
【０００４】
愛玩動物をバッグ内に入れる際には、バッグの開口部は大きい方が好ましい。一方で、開口部が大き過ぎると、愛玩動物がバッグ内から外へ飛び出しやすくなり、愛玩動物をバッグ内に収容することが困難となる。また、リュックサックの形態を採用する場合、平均的な体長の愛玩動物の居住性や出し入れを考慮すると、通常の荷物を収納するリュックサックの場合には全体的に大型にする必要がある。
本発明は、比較的小型でありながら愛玩動物を容易に収容することができる愛玩動物運搬用のリュックサックを提供することを目的とする。
【課題を解決するための手段】
【０００５】
かかる目的のもと完成させた本発明は、収容部と、前記収容部の背面に取り付けられた２本の肩ベルトとからなり、前記収容部の上部に設けられ、曲面である開口部と、前記開口部の曲面に沿って非直線状に開閉するファスナーと、を備える愛玩動物運搬用のリュックサックである。
ここで、前記ファスナーは、前記収容部の正面又は背面における左右方向の一方の端部から他方の端部に設けられるとともに、両端部が、当該収容部の正面又は背面のいずれか一方側に設けられ、中央部が、当該収容部の正面又は背面のいずれか他方側に設けられていても良い。
また、前記ファスナーの両端部は前記収容部の正面側に、当該ファスナーの中央部は当該収容部の背面側にそれぞれ設けられ、前記開口部の曲面に沿って前記一方の端部から前記中央部を経て前記他方の端部に向かう咬合軌道が円弧状であっても良い。
また、前記収容部は、形を整えるパッドを有し、当該パッドにおける左右方向の両端部は、正面側から背面側に屈曲していても良い。
また、前記ファスナーの両端部は、前記収容部の正面側において前記パッドが設けられている部位の近傍に設けられていても良い。
また、前記収容部の内側の底部に着脱できるとともに、当該底部よりも剛性が高い、有底筒状のパレットをさらに備えても良い。
また、頂部には、開閉式の窓が設けられていても良い。
【発明の効果】
【０００６】
本発明によれば、比較的小型でありながら愛玩動物を容易に収容することができる愛玩動物運搬用のリュックサックを提供することができる。
【図面の簡単な説明】
【０００７】
【図１】（ａ）は、本実施の形態に係るリュックサックを正面部側から見た斜視図である。（ｂ）は、リュックサックを背面部側から見た斜視図である。
【図２】（ａ）は、本実施の形態に係るリュックサックを正面から見た図である。（ｂ）は、パレットの斜視図である。
【図３】本実施の形態に係るリュックサックを左側から見た図である。
【図４】（ａ）は、背面部パッドの平面図であり、（ｂ）は、正面部パッドの平面図であり、（ｃ）は、頂部パッドの平面図である。
【図５】本実施の形態に係るリュックサックを斜め上方から見た図である。
【図６】ファスナーが全開にされた状態を示す図である。
【発明を実施するための形態】
【０００８】
以下、添付図面を参照して、実施の形態について詳細に説明する。
図１は、本実施の形態に係るリュックサック１の概略構成図である。（ａ）は、リュックサック１を正面部側から見た斜視図であり、（ｂ）は、リュックサック１を背面部側から見た斜視図である。
図２（ａ）は、本実施の形態に係るリュックサック１を正面から見た図である。図２（ｂ）は、パレット３０の斜視図である。
図３は、本実施の形態に係るリュックサック１を左側から見た図である。
図４（ａ）は、背面部パッド１１２の平面図であり、図４（ｂ）は、正面部パッド１２２の平面図であり、図４（ｃ）は、頂部パッド１５２の平面図である。
図５は、本実施の形態に係るリュックサック１を斜め上方から見た図である。
【０００９】
本実施の形態に係るリュックサック１は、リュック本体１０と、リュック本体１０に取付けられた肩ベルト２０と、リュック本体１０内に装着可能なパレット３０とを有し、猫等の愛玩動物をリュック本体１０内に収容した状態で担ぐことが可能な愛玩動物運搬用のリュックサックの一例である。
【００１０】
（リュック本体）
リュック本体１０は、肩ベルト２０が取付けられた背面部１１と、背面部１１と対向する正面部１２と、背面部１１と正面部１２との間に設けられた底部１３とを備えている。
また、リュック本体１０は、背面部１１と正面部１２との間に設けられるとともに、端部が底部１３に接続される側部１４と、底部１３と対向する頂部１５とを備えている。
また、リュック本体１０は、側部１４と頂部１５との間に設けられたファスナー１６を備えている。
【００１１】
背面部１１は、布等の可撓素材で構成された背面部本体１１１と、背面部本体１１１の内部に収納された背面部パッド１１２（図４（ａ）参照）とを有している。
背面部パッド１１２は、背面部本体１１１よりも剛性が高くなるように、ウレタン等の材質にて成形されているとともに、背面部本体１１１の厚さよりも厚く成形されている。背面部パッド１１２は、図４（ａ）に示すように、上部が円弧状に成形されているとともに、底辺の端部それぞれから上部の円弧に接するように側辺がそれぞれ形成されている。
【００１２】
正面部１２は、布等の可撓素材で構成された正面部本体１２１と、正面部本体１２１の内部に収納された正面部パッド１２２（図４（ｂ）参照）とを有している。
正面部パッド１２２は、正面部本体１２１よりも剛性が高くなるように、ウレタン等の材質にて成形されているとともに、正面部本体１２１の厚さよりも厚く成形されている。正面部パッド１２２は、図４（ｂ）に示すように、上部が円弧状に成形されているとともに、底辺１２２ａと、この底辺１２２ａとそれぞれ略直交する２つの側辺１２２ｂと、２つの側辺１２２ｂのそれぞれの上端部から上部の円弧に接する２つの斜辺１２２ｃとを有する略五角形である。
【００１３】
そして、図３に示すように、正面部パッド１２２における左右方向の両端部に設けられた２つの側辺１２２ｂそれぞれが、正面部パッド１２２における表面（例えば、正面部パッド１２２における上部の円弧状の部位や底辺１２２ａの中央部により形成される面）よりも背面部１１側に位置するように、正面部パッド１２２における左右方向の両端部が屈曲された状態となるように、正面部１２と側部１４とが咬合されている。
【００１４】
底部１３は、布等の可撓素材で構成されているとともに、左右方向が長手方向となる略長方形状の部位である。底部１３は、背面側が背面部１１と咬合され、正面側が正面部１２と咬合され、短手方向（前後方向）に伸びる２つの部位がそれぞれ側部１４と咬合されている。
【００１５】
側部１４は、布等の可撓素材で構成されている。側部１４における背面側の部位は、全てにおいて背面部１１の外周と咬合されており、側部１４における下側の両端部は、それぞれ、底部１３における左右方向の両端部それぞれと咬合されている。これにより、側部１４の上部は、背面部１１の上部の円弧状に沿うように、円弧状となるように成形されている。また、側部１４における正面側の下部は、正面部１２と咬合されている。
側部１４における正面側の上部には、頂部１５との間にファスナー１６が装着されている。
また、側部１４の下部には、例えばペットボトルや飲料缶を保持することが可能なドリンクホルダ１４１が設けられている。
【００１６】
頂部１５は、布等の可撓素材で構成された頂部本体１５１と、頂部本体１５１の内部に収納された頂部パッド１５２（図４（ｃ）参照）とを有している。
頂部パッド１５２は、頂部本体１５１よりも剛性が高くなるように、ウレタン等の材質にて成形されているとともに、頂部本体１５１の厚さよりも厚く成形されている。ただし、頂部パッド１５２は、頂部１５の剛性が正面部１２の剛性よりも低くなるように、厚さが正面部パッド１２２の厚さよりも薄く成形されている。頂部パッド１５２は、図４（ｃ）に示すように、底辺と、円弧状の辺と、を有するように略半月状に成形されている。また、頂部パッド１５２の中央部には、矩形の貫通孔１５３が形成されている。
頂部１５は、正面側（頂部パッド１５２における底辺側）が正面部１２と咬合され、背面側（頂部パッド１５２における円弧状の辺側）がファスナー１６と咬合されている。
頂部１５は、側部１４とともに、リュック本体１０の上部に形成される、リュック本体１０内を開放する開口部を形成する。
【００１７】
また、頂部１５には、図５に示すように、頂部パッド１５２に形成された貫通孔１５３の部位に窓用孔１５４が形成されている。
そして、頂部１５は、窓用孔１５４の全面を覆うように咬合されたネット１５５と、ネット１５５の上面を覆うカバー１５６とが装着されている。
ネット１５５は、窓用孔１５４を介して、リュック本体１０の外部から内部を視認することが可能な粗さの網目に成形されている。
カバー１５６は、布等の可撓素材で構成された矩形状であり、背面側の一辺が頂部本体１５１に咬合されている。そして、この咬合部を基端部として、カバー１５６における正面側の部位である先端部を指でつまんで撓ませることが可能になっている。
【００１８】
上記構成により、窓用孔１５４、ネット１５５及びカバー１５６は、カバー１５６の先端部が撓ませられることで、リュック本体１０内部を視認可能にする開状態（図５の状態）と、カバー１５６が窓用孔１５４及びネット１５５を覆うことで、リュック本体１０内部を視認不可能にする閉状態（図１、図２、図３の状態）とに遷移可能な開閉式の窓として機能する。
リュック本体１０のファスナー１６については後で詳述する。
【００１９】
（パレット）
パレット３０は、図２（ｂ）に示すように、布等の可撓素材で構成されたパレット本体３１と、パレット本体３１の内部に収納されたパレットパッド３２とを有している。パレットパッド３２は、底部１３よりも剛性が高くなるように、ウレタン等の材質にて成形されているとともに、底部１３の厚さよりも厚く成形されている。パレット３０は、有底角筒状である。
【００２０】
（リュック本体のファスナー）
ファスナー１６は、線上に並んだ務歯が噛み合うことで両側を固定する、所謂線ファスナーである。ファスナー１６における務歯の一方の側が側部１４における正面側に咬合され、務歯の他方の側が頂部１５における背面側に咬合されている。つまり、ファスナー１６は、側部１４と頂部１５との境界を形成する。そして、ファスナー１６は、リュック本体１０の上部に側部１４と頂部１５とで形成される、リュック本体１０の開口部を開閉する。
【００２１】
ファスナー１６の両端部はリュック本体１０の正面側に、ファスナー１６の中央部はリュック本体１０の背面側にそれぞれ設けられ、側部１４と頂部１５とで形成される開口部の曲面に沿って一方の端部から中央部を経て他方の端部に向かう咬合軌道が円弧状である。より具体的には、ファスナー１６の両端部は、正面部１２側における上下方向の中央部に設けられ、中央部は、背面部１１側における上部に設けられている。そして、ファスナー１６は、中央部が背面部１１の上部の形状に沿うように、かつ、一方の端部及び他方の端部それぞれから中央部にかけて背面部１１に傾斜する方向に開閉するように、一方の端部から他方の端部にかけて湾曲している。つまり、ファスナー１６は、背面部１１の上部の形状に沿う中央部１６１と、背面部１１に傾斜する方向に開閉する傾斜部１６２と、中央部１６１と傾斜部１６２とを接続する接続部１６３とを有する。そして、傾斜部１６２における開閉方向が、背面部１１における表面（例えば肩ベルト２０が取付けられた側の面）に対して角度を成す方向となるように傾斜している。また、傾斜部１６２における開閉方向が、背面部１１と側部１４との咬合部の方向（略上下方向）に対して角度を成す方向である。言い換えれば、図３に示すように、リュックサック１を側方から見た場合に、傾斜部１６２は、上下方向に対して傾斜している。
このように、ファスナー１６は、リュック本体１０の上部に側部１４と頂部１５とで形成される、リュック本体１０の開口部の曲面に沿って、この開口部を非直線状に開閉する。
【００２２】
ファスナー１６は、側部１４及び頂部１５と咬合される前から上記形状に湾曲していることを例示することができる。これにより、咬合し易くなる。ただし、ファスナー１６は、側部１４及び頂部１５と咬合される前には直線的であり、咬合後に上記形状に湾曲するように咬合されても良い。
【００２３】
図６は、ファスナー１６が全開にされ、開口部が大きくされた状態を示す図である。
図６に示すように、リュックサック１は、ファスナー１６が全開されると、頂部１５における窓用孔１５４が形成された部位が下方に凸となるように屈曲した状態となる。また、図６に示すように、正面部１２は、正面部パッド１２２における左右方向の両端部が背面側に屈曲された状態となるように咬合されているので、ファスナー１６の開閉前後において正面部１２の下部の形状が維持され、上下方向に平行な状態となる。あるいは、ファスナー１６が全開されたことに起因して、正面部１２におけるファスナー１６の両端部よりも上方の部位が正面側にやや撓んだ状態となる。そして、これにより、側部１４と頂部１５とで形成される、リュック本体１０の開口部が大きく開かれる。
【００２４】
以上、説明したように、本実施の形態に係るリュックサック１は、正面部１２と、正面部１２と対向する背面部１１と、正面部１２と背面部１１との間に設けられた底部１３と、正面部１２と背面部１１との間に設けられるとともに、端部が底部１３に接続される側部１４と、底部１３と対向する頂部１５と、を備える。また、リュックサック１は、側部１４と頂部１５との間に設けられて、背面部１１に対して交差する方向（傾斜方向）に開閉するファスナー１６を備える。
【００２５】
このように構成されたリュックサック１においては、ファスナー１６が背面部１１に対して交差する方向（傾斜方向）に開閉するので、例えば、ファスナー１６が背面部１１に対して平行な方向（上下方向）に開閉するタイプやファスナー１６が背面部１１に対して直交する方向（水平方向）に開閉するタイプに比べて開口面積が大きくなる。それゆえ、リュック本体１０内に愛玩動物を入れ易い。また、ファスナー１６が全開にされた状態においては、例えば図６に示すように、頂部１５におけるファスナー１６が設けられた側（背面部１１側）の部位が正面部１２側に移動するので、リュック本体１０内に愛玩動物を入れた後に、迅速に開口部を小さくすることができる。そして、その後、迅速にファスナー１６を閉めることができる。それゆえ、リュック本体１０内に入れられた愛玩動物が、リュック本体１０内から外へ飛び出すことを抑制することができる。以上のことより、リュックサック１は、愛玩動物をリュック本体１０内に容易に収容することができる。
【００２６】
また、本実施の形態に係るリュックサック１は、収容部の一例としてのリュック本体１０と、リュック本体１０の背面に取り付けられた２本の肩ベルト２０とからなり、リュック本体１０の上部に設けられ、曲面である開口部と、この開口部の曲面に沿って非直線状に開閉するファスナー１６と、を備える愛玩動物運搬用のリュックサックである。リュックサック１によれば、リュックサックの形態であってもリュック本体１０の開口面積を大きくすることができるので、比較的小型でありながら猫や子犬などの平均的な体長の愛玩動物を容易に収容することができる。
【００２７】
ここで、ファスナー１６の両端部は、正面部１２側における上下方向の中央部に設けられ、ファスナー１６の中央部は、背面部１１側における上部に設けられていると良い。これにより、ファスナー１６の両端部における開閉方向の角度が、上下方向と水平方向との中間の角度となり易くなるので、リュックサック１は、愛玩動物をリュック本体１０内に容易に収容することができる。
【００２８】
また、リュックサック１においては、正面部１２は、形を整えるパッドの一例としての正面部パッド１２２を有し、正面部パッド１２２における左右方向の両端部は、背面部１１側に屈曲しており、ファスナー１６の両端部は、正面部１２側において正面部パッド１２２が設けられている部位の近傍に設けられている。正面部パッド１２２における左右方向の両端部が背面部１１側に屈曲しているので、リュックサック１の下部における形状が維持される。つまり、リュックサック１の内部の下部における水平方向の断面形状が略矩形状に維持される。そして、ファスナー１６の両端部が正面部１２側において正面部パッド１２２が設けられている部位の近傍に設けられているので、ユーザが、ファスナー１６を開閉するためのつまみを指で持ちファスナー１６を開閉する際にも、ファスナー１６の両端部近傍の正面部１２の形状が維持され易くなる。その結果、ユーザは、ファスナー１６を容易に開閉することができる。
【００２９】
また、リュックサック１は、リュック本体１０の内側の底部１３に着脱できるとともに、底部１３よりも剛性が高いパレット３０を備えている。これにより、リュックサック１の内部の下部の形状が、水平方向の断面形状が略矩形状となるように維持される。その結果、リュックサック１の内部に収容された愛玩動物用のスペースが確保されるので、愛玩動物の居心地を良くすることができる。また、パレット３０が底部１３に載せられることで、リュックサック１の下部の形状が維持されるので、ファスナー１６を容易に開閉することが可能となる。また、パレット３０は、角筒状であるため、愛玩動物用のスペースが直方体状に確保される。その結果、愛玩動物が例えば猫である場合には、猫を丸まった状態で居させることができるので、猫の居心地を良くすることができる。
【００３０】
また、リュックサック１においては、頂部１５には、開閉式の窓を構成する、窓用孔１５４、ネット１５５及びカバー１５６が設けられている。これにより、ユーザは、カバー１５６を撓ませることで、リュックサック１の内部に収容された愛玩動物の様子を容易に視認することができる。他方、カバー１５６で窓用孔１５４及びネット１５５を覆うことで、リュック本体１０内部を容易に視認不可能にすることができ、見られることによる愛玩動物の不安感を和らげることができる。
【００３１】
なお、上述した実施の形態においては、ファスナー１６は、両端部が正面部１２側に設けられ、中央部が背面部１１側に設けられているが、かかる態様に限定されない。例えば、ファスナー１６は、両端部が、背面部１１側における上下方向の中央部に設けられ、中央部が、正面部１２側における上部に設けられていても良い。この構成であっても、例えば、ファスナー１６が上下方向に開閉するタイプやファスナー１６が水平方向に開閉するタイプに比べて開口面積が大きくなるので、リュック本体１０内に愛玩動物を入れ易くすることができる。また、リュック本体１０内に愛玩動物を入れた後に、迅速に開口部を閉じることができ、その後、迅速にファスナー１６を閉めることができる。それゆえ、リュック本体１０内に入れられた愛玩動物が、リュック本体１０内から外へ飛び出すことを抑制することができる。その結果、愛玩動物をリュック本体１０内に収容することを容易にすることができる。
【符号の説明】
【００３２】
１…リュックサック、１０…リュック本体、１１…背面部、１２…正面部、１３…底部、１４…側部、１５…頂部、１６…ファスナー、２０…肩ベルト、３０…パレット
【図１】
2020062117.tif 000003
【図２】
2020062117.tif 000004
【図３】
2020062117.tif 000005
【図４】
2020062117.tif 000006
【図５】
2020062117.tif 000007
【図６】
2020062117.tif 000008